(57)【要約】【課題】装置本体を把持して綴じ操作を行うことが可能な小型化された綴じ装置を提供する。【解決手段】綴じ装置１Ａは、片２が貼り付けられた長尺状のテープ５がロール状に巻かれて収納されるカセット８が着脱可能に取り付けられるカセット収納部６０Ａを備える。カセット収納部６０Ａは、ベース部１１Ａとハンドル部１２を有した装置本体１１０Ａの下部に設けられ、カセット８がハンドル部１２及びベース部１１Ａの後方から突出しない構成である。【選択図】    図１
2015003526.tif 000002
【特許請求の範囲】
【請求項１】
シート束が載置されるベース部及び操作部材を有した装置本体と、
前記操作部材の動作でシート束を貫通し、片をシート束に挿通させる抜き刃と、
複数の片が長尺状の剥離紙に貼り付けられた消耗品を収納する収納部と、
前記収納部から引き出された消耗品を搬送する搬送手段とを備え、
前記収納部は、前記装置本体における、前記操作部材の把持部位の前方側または後方側の部位に設けられる
ことを特徴とする綴じ装置。
【請求項２】
前記操作部材は、前記ベース部に対して軸を支点に回転可能に設けられる
ことを特徴とする請求項１に記載の綴じ装置。
【請求項３】
前記収納部は、前記装置本体における、前記ベース部に載置されるシート束を介して前記抜き刃と相対する側の部位に設けられる
ことを特徴とする請求項１または請求項２に記載の綴じ装置。
【請求項４】
前記収納部は、前記装置本体における、前記抜き刃を介して前記軸と相対する側の部位に設けられる
ことを特徴とする請求項２に記載の綴じ装置。
【請求項５】
前記収納部は、消耗品が引き出される部位が、前記装置本体における、前記搬送手段を介して前記抜き刃と相対する側の部位に設けられる
ことを特徴とする請求項１〜請求項４の何れか１項に記載の綴じ装置。
【請求項６】
シート束が載置されるベース部及び操作部材を有した装置本体と、
前記操作部材の動作でシート束を貫通し、片をシート束に挿通させる抜き刃と、
複数の片が長尺状の剥離紙に貼り付けられた消耗品を収納する収納部と、
前記収納部から引き出された消耗品を搬送する搬送手段とを備え、
前記収納部は、前記装置本体における、前記ベース部に載置されるシート束を介して前記操作部材の把持部位と相対する側の部位に設けられる
ことを特徴とする綴じ装置。
【請求項７】
前記操作部材は、前記ベース部に対して軸を支点に回転可能に設けられる
ことを特徴とする請求項６に記載の綴じ装置。
【請求項８】
前記収納部は、前記装置本体における、前記操作部材の把持部位の前方側または後方側の部位に設けられる
ことを特徴とする請求項６または請求項７に記載の綴じ装置。
【請求項９】
シート束が載置されるベース部及び操作部材を有した装置本体と、
前記操作部材の動作でシート束を貫通し、片をシート束に挿通させる抜き刃と、
複数の片が長尺状の剥離紙に貼り付けられた消耗品を収納する収納部と、
前記収納部から引き出された消耗品を搬送する搬送手段とを備え、
前記収納部は、前記装置本体における、前記操作部材の第１の把持部位もしくは前記ベース部の第２の把持部位の前方側または後方側の部位に設けられる
ことを特徴とする綴じ装置。
【請求項１０】
前記操作部材は、前記ベース部に対して軸を支点に回転可能に設けられる
ことを特徴とする請求項９に記載の綴じ装置。
【請求項１１】
前記収納部は、前記装置本体における、前記ベース部に載置されるシート束を介して前記抜き刃と相対する側の部位に設けられる
ことを特徴とする請求項９または請求項１０に記載の綴じ装置。
【請求項１２】
前記片は、折り曲げが容易な薄箔状の非金属の素材で構成される
ことを特徴とする請求項１〜請求項１１の何れか１項に記載の綴じ装置。
【発明の詳細な説明】
【技術分野】
【０００１】
本発明は、紙や樹脂等の折り曲げが容易な薄箔状の非金属の素材で構成された片でシートの束を綴じる綴じ装置に関する。
【背景技術】
【０００２】
書類等のシート束を、金属針ではなく紙等で構成された片と称す部材で綴じる装置が従来より提案されている。
【０００３】
このような装置としては、抜き刃でシート束を貫通させると共に、抜き刃で片を保持し、抜き刃がシート束に挿抜される動作でシート束に片を挿通させる構成で、片が貼り付けられた長尺状の消耗品が収納されたカセットが、装置本体の後方に取り付けられる技術が提案されている（特許文献１、２及び３参照）。
【０００４】
シート束に孔をあける構成と、片でシート束を綴じる構成を別に設けた装置でも、消耗品が収納されたカセットが、装置本体の後方に取り付けられる（特許文献４参照）。
【先行技術文献】
【特許文献】
【０００５】
【特許文献１】特開平１０−８７１号公報
【特許文献２】特許第３１２２８０７号公報
【特許文献３】特開２００３−２５７５３号公報
【特許文献４】特開平１０−２４６６９号公報
【発明の概要】
【発明が解決しようとする課題】
【０００６】
例えば、特許文献１、特許文献２、特許文献３に記載のように、消耗品が収納される収納部が、装置本体の後方に設けられる構成では、収納部及び収納部に装着されるカセット等が装置本体の後方から突出する。シート束を片で綴じる構成では、多数の辺が長尺状の剥離紙に貼り付けられ、ロール状に巻かれた形態で消耗品が供給されるので、消耗品を収納するための空間が大きくなる。このため、消耗品の収納部及び収納部に装着されるカセット等が装置本体の後方から突出する構成では、装置本体の前後方向の寸法が大型化し、広い作業スペースが必要となる。
【０００７】
また、特許文献１、特許文献２、特許文献３では、装置本体を把持して綴じ操作を行うことが困難な構成となっている。特に、特許文献１、特許文献２、特許文献３では、押圧ハンドルや押し下げ部材、押し下げ部を真っ直ぐに上下方向に押し下げる操作を行って綴じる装置となっていることもあり、装置本体を把持して綴じ操作を行うことを前提としない装置となっている。
【０００８】
更に、特許文献１、特許文献２、特許文献３に示されるように、押圧ハンドルや押し下げ部材、押し下げ部を真っ直ぐに上下方向に押し下げる操作を行って綴じる装置に対して、特許文献４に示されるように、軸を支点に回転する操作ハンドルを設けた装置も提案されているが、２か所を同時に綴じることができる大型の装置であって、装置本体を把持して綴じ操作を行うことが困難な装置となっている。
【０００９】
本発明は、このような課題を解決するためになされたもので、装置本体を把持して綴じ操作を行うことが可能な小型化された綴じ装置を提供することを目的とする。
【課題を解決するための手段】
【００１０】
上述した課題を解決するため、本発明は、シート束が載置されるベース部及び操作部材を有した装置本体と、操作部材の動作でシート束を貫通し、片をシート束に挿通させる抜き刃と、複数の片が長尺状の剥離紙に貼り付けられた消耗品を収納する収納部と、収納部から引き出された消耗品を搬送する搬送手段とを備え、収納部は、装置本体における、操作部材の把持部位の前方側または後方側の部位に設けられる綴じ装置である。
【００１１】
また、本発明は、シート束が載置されるベース部及び操作部材を有した装置本体と、操作部材の動作でシート束を貫通し、片をシート束に挿通させる抜き刃と、複数の片が長尺状の剥離紙に貼り付けられた消耗品を収納する収納部と、収納部から引き出された消耗品を搬送する搬送手段とを備え、収納部は、装置本体における、ベース部に載置されるシート束を介して操作部材の把持部位と相対する側の部位に設けられる綴じ装置である。
【００１２】
更に、本発明は、シート束が載置されるベース部及び操作部材を有した装置本体と、操作部材の動作でシート束を貫通し、片をシート束に挿通させる抜き刃と、複数の片が長尺状の剥離紙に貼り付けられた消耗品を収納する収納部と、収納部から引き出された消耗品を搬送する搬送手段とを備え、収納部は、装置本体における、操作部材の第１の把持部位もしくはベース部の第２の把持部位の前方側または後方側の部位に設けられる綴じ装置である。
【発明の効果】
【００１３】
本発明では、消耗品の収納部が、装置本体における、操作部材の把持部位の前方側または後方側の部位に設けられるので、操作部材の把持部位を把持するのに支障をきたさずに装置本体を把持することができ、装置本体を把持して操作を行うことができる。
【００１４】
また、本発明は、消耗品の収納部が、装置本体における、ベース部に載置されるシート束を介して操作部材の把持部位と相対する側の部位に設けられるので、装置本体の小型化を図ることができる。また、操作部材の把持部位を把持するのに支障をきたさずに装置本体を把持することができ、装置本体を把持して操作を行うことができる。
【００１５】
更に、本発明は、消耗品の収納部が、装置本体における、操作部材の第１の把持部位もしくはベース部の第２の把持部位の前方側または後方側の部位に設けられるので、操作部材の第１の把持部位やベース部の第２の把持部位を把持するのに支障をきたさずに装置本体を把持することができ、装置本体を把持して操作を行うことができる。
【図面の簡単な説明】
【００１６】
【図１】第１の実施の形態の綴じ装置の一例を示す構成図である。
【図２】第１の実施の形態の綴じ装置の一例を示す構成図である。
【図３】シート束を綴じた片の一例を示す構成図である。
【図４】片の一例を示す構成図である。
【図５】抜き刃の駆動機構を示す斜視図である。
【図６】カセット収納部を開閉した状態を示す説明図である。
【図７】片でシート束を綴じる動作の概要を示す説明図である。
【図８】第１の実施の形態の綴じ装置の動作の一例を示す説明図である。
【図９】第１の実施の形態の綴じ装置の動作の一例を示す説明図である。
【図１０】第１の実施の形態の綴じ装置の動作の一例を示す説明図である。
【図１１】第１の実施の形態の綴じ装置の動作の一例を示す説明図である。
【図１２】第１の実施の形態の綴じ装置の動作の一例を示す説明図である。
【図１３】第１の実施の形態の綴じ装置の動作の一例を示す説明図である。
【図１４】第２の実施の形態の綴じ装置の一例を示す構成図である。
【図１５】カセット収納部を開閉した状態を示す説明図である。
【図１６】第２の実施の形態の綴じ装置の変形例を示す構成図である。
【図１７】第２の実施の形態の綴じ装置の他の変形例を示す構成図である。
【図１８】第３の実施の形態の綴じ装置の一例を示す構成図である。
【図１９】第３の実施の形態の綴じ装置の一例を示す構成図である。
【図２０】第４の実施の形態の綴じ装置の一例を示す構成図である。
【図２１】第４の実施の形態の綴じ装置の一例を示す構成図である。
【図２２】第４の実施の形態の綴じ装置の変形例を示す構成図である。
【図２３】第４の実施の形態の綴じ装置の変形例を示す構成図である。
【図２４】第５の実施の形態の綴じ装置の一例を示す構成図である。
【図２５】第５の実施の形態の綴じ装置の一例を示す構成図である。
【図２６】第５の実施の形態の綴じ装置の変形例を示す構成図である。
【図２７】第５の実施の形態の綴じ装置の変形例を示す構成図である。
【図２８】第６の実施の形態の綴じ装置の一例を示す構成図である。
【図２９】第７の実施の形態の綴じ装置の一例を示す構成図である。
【図３０】第７の実施の形態の綴じ装置の一例を示す構成図である。
【図３１】第８の実施の形態の綴じ装置の一例を示す構成図である。
【図３２】第８の実施の形態の綴じ装置の一例を示す構成図である。
【図３３】カセットの変形例を示す説明図である。
【発明を実施するための形態】
【００１７】
以下、図面を参照して、本発明の綴じ装置の実施の形態について説明する。
【００１８】
＜第１の実施の形態の綴じ装置の構成例＞
図１及び図２は、第１の実施の形態の綴じ装置の一例を示す構成図である。ここで、図１は、綴じ装置１Ａの内部構成を示し、図２は、綴じ装置１Ａの外観構成を示す。また、図３は、シート束を綴じた片の一例を示す構成図、図４は、片の一例を示す構成図である。
【００１９】
まず、綴じ装置１Ａでの処理の対象となる片及びシート束について説明すると、第１の実施の形態の綴じ装置１Ａは、図３に示すように、複数枚のシートが積層されたシート束１０に消耗品である片２を巻き付けることで、シート束１０を綴じる装置である。シート束１０は、書類等の用紙や、金属材料または樹脂材料等で形成されたシート状部材等を積層したものである。
【００２０】
片２は、一方の側がシート束１０の一の面である下面から、シート束１０の端部１０ａ側に巻かれる。また、片２は、他方の側がシート束１０に形成された貫通孔１０ｂを通して巻かれる。そして、片２は、それぞれの端部側がシート束１０の他の面である上面に貼り付けられる形態でシート束１０を綴じる。
【００２１】
片２は、図４に示すように、例えば矩形状に形成されており、一方の面２ａを平面とし、他方の面２ｂに粘着層３が設けられ、例えば、長尺な剥離紙４に、長手方向に複数個仮着されている。これにより、片２は、長期間待機された後に使用される場合であっても、粘着層３の粘着力の低下を防止することができる。
【００２２】
更に、片２及び剥離紙４で構成されるテープ５は、例えば、ロール状に巻回されロール体となって、綴じ装置１Ａに収納される。片２及び剥離紙４には、テープ５を送り出す機構が係合される係合孔６が、長手方向に所定の間隔を開けて複数個形成されている。
【００２３】
次に、綴じ装置１Ａの構成について説明する。綴じ装置１Ａは、シート束１０を移動させることによるシート束１０と片２との相対移動で、片２を予備整形する構成で、図１及び図２に示すように、ベース部１１Ａと、ベース部１１Ａに対して回転可能に設けられるハンドル部１２を備える。また、綴じ装置１Ａは、綴じ対象のシート束１０を挟持して移動する挟持部２０と、挟持部２０との協働で片２を整形して、片２でシート束１０を綴じる綴じ部４０と、挟持部２０との協働でテープ５を送る片送り部の一例としての送り部５０と、テープ５のロール体７が収納されたカセット８が着脱可能に装着されるカセット収納部６０Ａを備える。
【００２４】
ハンドル部１２は操作部材の一例で、ベース部１１Ａの一方の端部側に設けられた軸支持部１１ｍに、ハンドル部１２の一方の端部側に設けられた軸１２ｍが係合される。これにより、ハンドル部１２は、一方の端部側が軸１２ｍを支点として回転可能にベース部１１Ａに取り付けられ、他方の端部側が自由端となる。ハンドル部１２には、綴じ装置１Ａを把持して操作するための把持部位１２ａが設けられ、綴じ装置１Ａを操作する際には、把持部位１２ａを把持することで操作が可能となっている。
【００２５】
綴じ装置１Ａは、ハンドル部１２の自由端側が操作されることで、ハンドル部１２が軸１２ｍを支点に回転し、このハンドル部１２が回転する動作が、後述するように綴じ部４０に伝達されて、綴じ部４０が作動する。
【００２６】
ここで、綴じ装置１Ａは、机等に載置して使用する形態が想定され、以下の説明では、ベース部１１Ａが設けられる側を、下面、下側、下方等、上下方向の下と定義し、ハンドル部１２が設けられる側を、上面、上側、上方等、上下方向の上と定義する。また、ハンドル部１２の自由端側を、前面、前側、前方等、前後方向の前と定義し、軸１２ｍが設けられる側を、後面、後ろ側、後方等、前後方向の後と定義する。
【００２７】
ベース部１１Ａは、主枠体１１ｅと下部枠体１１ｆを備える。ベース部１１Ａは、主枠体１１ｅの後方上部に軸支持部１１ｍが設けられる。また、ベース部１１Ａは、主枠体１１ｅの後方下部に設けた軸１１ｇを支点に、下部枠体１１ｆが回転可能に取り付けられる。ベース部１１Ａは、下部枠体１１ｆの矢印Ｊ1及び矢印Ｊ2方向への回転動作で、下部枠体１１ｆが後方へ開き、ベース部１１Ａの下部が開閉可能に構成される。更に、ベース部１１Ａは、挟持部２０を移動可能に支持する移動支持部１１ｎを主枠体１１ｅに備える。
【００２８】
移動支持部１１ｎは、ハンドル部１２の自由端側と対向してベース部１１Ａの前方上面側に設けられ、矢印Ｆ及び矢印Ｒ方向への挟持部２０の移動をガイドする前後方向に沿って設けられた溝部で構成される。
【００２９】
次に、挟持部２０について説明する。挟持部２０は載置手段の一例で、ベース部１１Ａの前方上面に、移動支持部１１ｎによって前後方向へ移動可能に取り付けられ、ハンドル部１２の自由端側の下方に位置するシート束１０の挿抜位置と、綴じ部４０の下方に位置する綴じ位置との間を移動可能に構成される。
【００３０】
挟持部２０は、綴じ対象物であるシート束１０が載置されるトレイ２３と、トレイ２３に対して回転可能に取り付けられ、回転動作でシート束１０をトレイ２３に押さえ付ける押さえ部材２４を備える。
【００３１】
尚、挟持部２０は、後述するように、シート束１０に片２を１周巻き付ける動作の一部の予備整形に関わることから、予備整形手段を構成する。また、挟持部２０は、テープ５を送る動作の一部に関わることから、搬送手段を構成する。
【００３２】
トレイ２３は、ベース部１１Ａの形状に合わせて本例では矩形平板状の形状で構成され、シート束１０が載置される載置部２３ａと、ベース部１１Ａの移動支持部１１ｎに係合される係合ガイド部２３ｂを備える。係合ガイド部２３ｂは、載置部２３ａの下面から下方に突出する形状で、ベース部１１Ａの移動支持部１１ｎに係合される。これにより、挟持部２０は、係合ガイド部２３ｂが移動支持部１１ｎにガイドされて、挿抜位置と綴じ位置との間の移動が可能となる。
【００３３】
また、挟持部２０は、載置部２３ａの後方側の端部に、押さえ部材２４を回転可能に支持する回転軸２３ｃが設けられる。更に、載置部２３ａの後端側には、幅方向略中央に、矩形状をなす切欠部２３ｄが設けられている。切欠部２３ｄは、挟持部２０が綴じ位置に移動すると、シート束１０を綴じる片２及び綴じ部４０の後述する抜き刃４４等が侵入可能な開口を、片２の貼着位置を避けて載置部２３ａに設けて構成される。
【００３４】
挟持部２０は、剥離紙４を保持する保持爪２３ｅを備える。保持爪２３ｅは搬送手段の一例で、剥離紙４の搬送経路に対向して係合ガイド部２３ｂに設けられ、挟持部２０の移動で矢印Ｆ及び矢印Ｒ方向に移動する。保持爪２３ｅは、剥離紙４が引き出される搬送方向において、上流側に設けられた軸２３ｆを支点とした回転動作で回転可能に構成され、バネ２３ｇで剥離紙４方向に付勢される。
【００３５】
保持爪２３ｅは、挟持部２０を挿抜位置から綴じ位置に移動させる動作で矢印Ｒ方向に移動すると、バネ２３ｇに抗して軸２３ｆを支点に矢印Ｇ1方向に回転し、剥離紙４の搬送経路から退避する。これにより、剥離紙４の係合孔６とは係合せず、挟持部２０を挿抜位置から綴じ位置に移動させる動作で、テープ５及び剥離紙４が逆送りされない。
【００３６】
一方、保持爪２３ｅは、挟持部２０を綴じ位置から挿抜位置に移動させる動作で矢印Ｆ方向に移動すると、バネ２３ｇの力で軸２３ｆを支点に矢印Ｇ2方向に回転し、剥離紙４の搬送経路に突出する。これにより、保持爪２３ｅが剥離紙４の係合孔６と係合し、挟持部２０を綴じ位置から挿抜位置に移動させる動作で、テープ５及び剥離紙４が引き出される。
【００３７】
押さえ部材２４は、後端側が回転軸２３ｃにより回転可能に支持され、トレイ２３に対して矢印Ｈ1及び矢印Ｈ2方向に回転して、トレイ２３の前方側を開閉する。押さえ部材２４は弾性を有する材質で構成され、前方側を基端とした弾性片２４ｂが一体で設けられる。
【００３８】
弾性片２４ｂは、載置部２３ａの切欠部２３ｄの左右両側に位置するように、押さえ部材２４から２本の部材が突出する形態で設けられ、後端側が自由端となってトレイ２３側に折曲している。そして、弾性片２４ｂは、後端がトレイ２３に当接し、押さえ部材２４の全体を持ち上げた状態として保持する。
【００３９】
尚、挟持部２０を構成するトレイ２３及び押さえ部材２４について、押さえ部材２４を設けた意図は、シート束１０の綴じ位置がトレイ２３からずれないようにするためであって、綴じ動作の際に、シート束１の綴じ位置がトレイ２３からずれないようなっていれば、必ずしも押さえ部材２４を設ける必要はない。
【００４０】
図５は、抜き刃の駆動機構を示す斜視図で、次に、各図を参照して、ハンドル部１２の操作で綴じ部４０及び抜き刃４４を動作させる機構について説明する。
【００４１】
綴じ部４０は、ハンドル部１２の内側下面に設けられる駆動部材４１を備える。また、綴じ部４０は、駆動部材４１の変位で上下方向に移動するガイドレバー４２と、シート束１０を綴じる片２を押圧する押圧レバー４３と、シート束１０を貫通する抜き刃４４を部品配設部２７に備える。
【００４２】
部品配設部２７は、ベース部１１Ａと一体的に設けられ、挟持部２０の移動経路に、綴じ位置へ移動する挟持部２０が進入する進入溝２８が設けられる。また、部品配設部２７とベース部１１Ａは、剥離紙４から剥離された片２を待機させる片待機部２８ａが、進入溝２８に挿入される挟持部２０で挟持されたシート束１０の移動経路に設けられる。進入溝２８は、ベース部１１Ａと部品配設部２７との間に離間して設けられた開口であり、挟持部２０が進入することで、押さえ部材２４をトレイ２３に対して近接する矢印Ｈ1方向に押圧し、シート束１０をトレイ２３と押さえ部材２４との間で挟持して保持する。挟持部２０と進入溝２８及び押圧レバー４３は、挟持部２０を移動させることによるシート束１０と片２との相対移動で、片２を予備整形する予備整形手段を構成する。
【００４３】
綴じ部４０は、押圧レバー４３と抜き刃４４が、進入溝２８の上方に設けられ、ハンドル部１２の動きを抜き刃４４及びガイドレバー４２を介して押圧レバー４３に伝達する駆動部材４１に第１のガイド孔４１ａと第２のガイド孔４１ｂを備える。第１のガイド孔４１ａは、長孔に形成され、ガイドレバー４２の凸部４２ａが係合される。第２のガイド孔４１ｂは、長孔に形成され。抜き刃４４が取り付けられた図５に示す取付部材４９の凸部４９ａが係合される。
【００４４】
ハンドル部１２の自由端側が操作されることで、ハンドル部１２が軸１２ｍを支点に回転すると、駆動部材４１の第１のガイド孔４１ａ及び第２のガイド孔４１ｂの位置が上下方向に変位する。これにより、ハンドル部１２が回転する動作で、ガイドレバー４２を上下方向に直線移動させる。また、抜き刃４４を上下方向に直線移動させる。
【００４５】
ガイドレバー４２は、部品配設部２７にガイドされて、上下方向に移動可能に設けられる。ガイドレバー４２には、コイルバネ４５等の弾性部材が巻挿される。コイルバネ４５は、ハンドル部１２の所謂リターンバネを構成し、部品配設部２７の受け部４６により下端部がベース部１１Ａで受けられる。また、コイルバネ４５は、駆動部材４１の第１のガイド孔４１ａに係合されたガイドレバー４２の凸部４２ａにより、上端部がハンドル部１２で受けられる。
【００４６】
これにより、ハンドル部１２は、コイルバネ４５によって、ベース部１１Ａから離間する矢印Ｕ方向に付勢される。また、ハンドル部１２が矢印Ｄ方向に押されることで、コイルバネ４５が収縮すると共に、ガイドレバー４２が矢印Ｄ方向に直線移動する。ここで、第１のガイド孔４１ａを長穴形状とすることで、変位の軌跡が軸１２ｍを中心とした円弧形状となる第１のガイド孔４１ａに沿って凸部４２ａが移動可能となり、凸部４２ａの変位の軌跡が円弧形状とならずにガイドレバー４２が直線移動する。
【００４７】
押圧レバー４３は、ガイドレバー４２の前方側に設けられる。押圧レバー４３は、シート束１０に片２を押圧して貼着する押圧部４３ａを備える。押圧レバー４３は、コイルバネ等の弾性体でなる押圧バネ４７が巻挿されている。押圧バネ４７は、一端が押圧部４３ａに係止され、他端がガイドレバー４２と連動して移動する移動部材４８に係止される。
【００４８】
抜き刃４４は、押圧レバー４３の前方側に設けられる。抜き刃４４は、図５に示すように、刃部４４ａの上方近傍に、片２が挿通される挿通孔４４ｂが形成される。抜き刃４４は、取付部材４９に取り付けられており、この取付部材４９は、ガイドレバー４２に接続されている。
【００４９】
抜き刃４４は、ハンドル部１２が操作されていない待機位置にある状態では、先端の刃部４４ａが進入溝２８から下方に突出せず、ハンドル部１２が矢印Ｕ方向に押されると、押圧レバー４３の押圧部４３ａに押圧されているシート束１０に貫通するように、刃部４４ａの高さ及び移動量が設定されている。
【００５０】
抜き刃４４は、図５に示すように、取付部材４９の左右の側方に凸部４９ａが突出し、各凸部４９ａが、駆動部材４１の第２のガイド孔４１ｂに係合されている。ここで、第２のガイド孔４１ｂを長穴形状とすることで、変位の軌跡が軸１２ｍを中心とした円弧形状となる第２のガイド孔４１ｂに沿って凸部４９ａが移動可能となり、凸部４９ａの変位の軌跡が円弧形状とならずに抜き刃４４が直線移動する。
【００５１】
以上のような綴じ部４０は、ハンドル部１２が矢印Ｄ方向に押し下げられると、ハンドル部１２の軸１２ｍを支点とした矢印Ｄ方向への回転動作で、駆動部材４１の第２のガイド孔４１ｂによって抜き刃４４を駆動する凸部４９ａが押圧され、抜き刃４４が矢印Ｄ方向に移動する。これにより、抜き刃４４がシート束１０を貫通する動作が行われる。
【００５２】
また、ハンドル部１２が矢印Ｕ方向に押し上げられると、ハンドル部１２の軸１２ｍを支点とした矢印Ｕ方向への回転動作で、駆動部材４１の第２のガイド孔４１ｂによって抜き刃４４を駆動する凸部４９ａが押し上げられ、抜き刃４４が矢印Ｕ方向に移動する。これにより、シート束１０に貫通した抜き刃４４が引き抜かれる動作が行われる。この抜き刃４４が引き抜かれる動作では、後述するように、抜き刃４４で保持した片２が、抜き刃４４と連なって、シート束１０の表面側に引き抜かれる動作が行われる。
【００５３】
次に、綴じ部４０の一部を構成する押圧ローラ５６について説明する。押圧ローラ５６は、抜き刃４４の前方側に設けられる。押圧ローラ５６は、コイルバネ５７等の弾性部材によって下方に付勢され、挟持部２０が綴じ位置と挿抜位置との間を移動する動作で、シート束１０を綴じた片２を押圧する。
【００５４】
次に、送り部５０及びカセット収納部６０Ａについて説明する。送り部５０は搬送手段の一例で、ベース部１１Ａの主枠体１１ｅに設けられた第１のガイド構成部材５０ａと、第１のガイド構成部材５０ａと対向して下部枠体１１ｆに設けられた第２のガイド構成部材５０ｂによって、挟持部２０の動作で搬送される片２が剥離される前のテープ５及び片２が剥離された剥離紙４の搬送路５１を構成する。
【００５５】
送り部５０は、カセット収納部６０Ａに収納されたカセット８から引き出されたテープ５をガイドする第１のローラ５２ａと、第１のローラ５２ａの下流側で、テープ５の搬送経路を水平方向より下方に向ける第２のローラ５２ｂを備え、屈曲した搬送経路を構成する。また、送り部５０は、剥離紙４を保持する係止爪５２ｃと、係止爪５２ｃで保持された剥離紙４を退避させる退避部５２ｄを備える。
【００５６】
送り部５０は、第１のローラ５２ａが第１のガイド構成部材５０ａに設けられる。また、送り部５０は、第２のローラ５２ｂと係止爪５２ｃが、第２のガイド構成部材５０ｂに設けられる。更に送り部５０は、退避部５２ｄが、第１のガイド構成部材５０ａと第２のガイド構成部材５０ｂとの間の空間で構成される。
【００５７】
送り部５０は、第２のローラ５２ｂで搬送経路を鋭角状に屈曲させることで、片２の剛性を利用してテープ５から片２を剥離させる剥離部５２ｅを構成する。送り部５０では、カセット収納部６０Ａに収納されたカセット８から引き出されたテープ５が、第１のローラ５２ａにガイドされて上側に向けて搬送される。次いで、テープ５は、第２のローラ５２ｂにガイドされて、鋭角状に折曲される。剥離紙４が剥離部５２ｅで鋭角状に折曲されることで、剥離紙４に仮着されている片２のみが上方に直進し、片２は、折れ曲がることなく真っ直ぐな状態で、剥離紙４から半分程度剥離された状態となる。剥離紙４から剥離された片２は、図４に示す粘着層３を、挟持部２０に挟まれて進入してくるシート束１０側にして、シート束１０を待ち受ける状態となる。第２のローラ５２ｂより下流側の剥離紙４は、ベース部１１Ａの前方側へと搬送されて排出される。
【００５８】
係止爪５２ｃは、第２のローラ５２ｂの下流側に設けられ、前方に傾斜した形態で搬送路５１に突出し、剥離紙４の係合孔６と係合する。退避部５２ｄは、係止爪５２ｃと対向する位置に、剥離紙４が入る空間を設けて構成される。
【００５９】
挟持部２０を挿抜位置から綴じ位置に移動させることで、保持爪２３ｅが矢印Ｒ方向に移動する動作で、テープ５及び剥離紙４に逆送りされる方向の力が加えられると、係止爪５２ｃが剥離紙４の係合孔６と係合し、テープ５及び剥離紙４が逆送りされない。
【００６０】
一方、挟持部２０を綴じ位置から挿抜位置に移動させることで、保持爪２３ｅが矢印Ｆ方向に移動する動作で、テープ５及び剥離紙４に順送りされる方向の力が加えられると、剥離紙４の係合孔６が係止爪５２ｃから外れ、剥離紙４が退避部５２ｄに入り、テープ５及び剥離紙４の順方向への搬送が可能となる。剥離紙４を搬送する力が加わらなくなると、剥離紙４の係合孔６が係止爪５２ｃに係合する。
【００６１】
カセット収納部６０Ａは収納部の一例で、ベース部１１Ａとハンドル部１２を備えた装置本体１１０Ａの下部、本例ではベース部１１Ａの後方下部に設けられる。カセット収納部６０Ａに収納されるカセット８は、片２が貼着された面が内側を向くような内巻きの形態でテープ５が巻かれたロール体７が収納され、引出口８ａからテープ５が引き出される。
【００６２】
カセット収納部６０Ａは、ロール体７の円周方向が縦向きとなるように、カセット８が縦向きで収納され、カセット８の引出口８ａから引き出されたテープ５が、送り部５０の下部から搬送路５１に誘導され、かつ、収納されるカセット８の外形が、本例ではハンドル部１２の後端より後方側に突出しない位置となるように構成される。
【００６３】
カセット収納部６０Ａは、装置本体１１０Ａにおいて、ハンドル部１２の把持部位１２ａの後方側の部位であって、本例ではベース部１１Ａに設けられる。また、カセット収納部６０Ａは、挟持部２０によって後述するように載置されるシート束１０を介して抜き刃４４と相対する側の部位に設けられる。更に、カセット収納部６０Ａは、カセット８の引出口８ａが、送り部５０を介して抜き刃４４と相対する側の部位に設けられる。また、カセット収納部６０Ａは、挟持部２０によって載置されるシート束１０を介してハンドル部１２の把持部位１２ａと相対する側の部位に設けられる。
【００６４】
カセット収納部６０Ａは、剥離部５２ｅに至る搬送経路の略直下に引出口８ａが位置するように、本例では、引出口８ａが上側を向く形態でカセット８が収納され、テープ５の引出口８ａから引き出される部位が、搬送路５１の下部に設けられる。これにより、引出口８ａから剥離部５２ｅに至る搬送経路は略直線状である。
【００６５】
剥離部５２ｅでは、第２のローラ５２ｂで搬送経路を鋭角状に屈曲させることで、片２の剛性を利用してテープ５から片２を剥離させる構成であるが、剥離部５２ｅに至る搬送経路を直線状とすることで、テープ５及び剥離紙４を搬送する際の負荷が低減される。
【００６６】
カセット収納部６０Ａは、カセット８の収納位置が下部枠体１１ｆの軸１１ｇの位置に合わせた構成とすることで、軸１１ｇを支点とした下部枠体１１ｆの回転動作で開閉可能に構成される。
【００６７】
＜第１の実施の形態の綴じ装置の動作例＞
図６は、カセット収納部を開閉した状態を示す説明図であり、次に、綴じ装置１Ａにおいて、カセット８と、テープ５及び剥離紙４を着脱する動作について説明する。
【００６８】
図６に示すように、軸１１ｇを支点とした矢印Ｊ1方向への回転動作で下部枠体１１ｆを開くと、カセット収納部６０Ａの前側が開く。これにより、ベース部１１Ａの前側から、カセット８の着脱が可能となる。
【００６９】
また、下部枠体１１ｆを開くと、第１のガイド構成部材５０ａに対して第２のガイド構成部材５０ｂが下方へ開き、第２のローラ５２ｂ及び係止爪５２ｃが搬送経路から退避して搬送路５１が露出する。これにより、カセット収納部６０Ａに装着したカセット８からテープ５を引き出し、図４で説明した係合孔６が係止爪５２ｃに掛かるようにしてテープ５及び剥離紙４を搬送路５１に装着する作業が容易に行える。
【００７０】
図１に示すように、軸１１ｇを支点とした矢印Ｊ2方向への回転動作で下部枠体１１ｆを綴じると、カセット８がカセット収納部６０Ａに保持される。また、下部枠体１１ｆを綴じると、第１のガイド構成部材５０ａと第２のガイド構成部材５０ｂが対向して搬送路５１が形成され、テープ５及び剥離紙４が、所定の搬送経路に装着される。
【００７１】
このように、ベース部１１Ａの下部にカセット収納部６０Ａを備えると共に、下部枠体１１ｆを開閉可能な構成として、カセット収納部６０Ａ及び搬送路５１が開閉される構成とすることで、下部枠体１１ｆを開いた状態では、図６に示すように、カセット収納部６０Ａから引き出される部位も含めて、テープ５及び剥離紙４の搬送経路の全体が露出する。これにより、テープ５及び剥離紙４の着脱が容易に行える。
【００７２】
なお、本例では、ロール体７がカセット８に収納される形態で説明したが、カセット収納部６０Ａをロール体７に合わせた形状として、ロール体７を直接カセット収納部６０Ａに収納できるような構成としても良い。
【００７３】
図７は、片でシート束を綴じる動作の概要を示す説明図、図８〜図１３は、第１の実施の形態の綴じ装置の動作の一例を示す説明図であり、次に、各図を参照して、第１の実施の形態の綴じ装置１Ａで片２によりシート束１０を綴じる動作について説明する。
【００７４】
図７（ａ）及び図８に示す待機状態では、ハンドル部１２は操作されておらず、抜き刃４４が進入溝２８の上方の待機位置に退避している。また、挟持部２０は、押さえ部材２４が矢印Ｈ2方向に回転して、トレイ２３に対して開いた状態となって、挿抜位置Ｐｐ１に位置する。
【００７５】
更に、片２は、剥離紙４から半分程度剥離した部分が片待機部２８ａに突出し、図７（ａ）に示すように、挟持部２０で挟持されて挿抜位置Ｐｐ１から綴じ位置Ｐｐ２へと移動するシート束１０の移動経路で待機する。
【００７６】
このような待機状態の綴じ装置１Ａにおいて、シート束１０がトレイ２３の載置部２３ａに置かれると、押さえ部材２４及び弾性片２４ｂが、シート束１０の厚さに応じて弾性変形し、弾性片２４ｂによって載置部２３ａに仮押さえされる。
【００７７】
図９に示すシート束１０の保持状態では、押さえ部材２４が作業者により矢印Ｈ1方向に押されることで、押さえ部材２４が回転軸２３ｃを支点に矢印Ｈ1方向に回転し、押さえ部材２４及び弾性片２４ｂが更に弾性変形して、押さえ部材２４とトレイ２３間で、弾性片２４ｂによってシート束１０が保持される。
【００７８】
図１０に示す片２が予備整形される状態では、シート束１０が保持された挟持部２０が作業者により矢印Ｒに押されることにより、シート束１０が保持された挟持部２０が、挿抜位置Ｐｐ１から矢印Ｒ方向に移動して、片待機部２８ａで待機している片２にシート束１０の端部１０ａが接する。シート束１０が保持された挟持部２０が更に矢印Ｒ方向に移動すると、シート束１０及びシート束１０に押された片２が、押圧レバー４３の押圧部４３ａと進入溝２８との間に挟まれる。
【００７９】
そして、シート束１０が保持された挟持部２０が綴じ位置Ｐｐ２まで移動すると、図７（ｂ）に示すように、押圧レバー４３の押圧部４３ａ及び進入溝２８と、シート束１０の端部１０ａとの組み合わせによる凹凸形状の間に片２が入る。これにより、片２は、シート束１０の端部１０ａと、押圧レバー４３の押圧部４３ａ及び進入溝２８の形状に合わせて予備整形されると共に、剥離紙４から剥離される。
【００８０】
シート束１０が保持された挟持部２０が挿抜位置Ｐｐ１から綴じ位置Ｐｐ２まで移動する動作では、テープ５及び剥離紙４に逆送りされる方向の力が加えられ、係止爪５２ｃが剥離紙４の係合孔６と係合する。また、保持爪２３ｅがバネ２３ｇに抗して軸２３ｆを支点に矢印Ｇ1方向に回転し、剥離紙４の搬送経路から退避する。これにより、保持爪２３ｅが剥離紙４の係合孔６とは係合せず、挟持部２０を挿抜位置Ｐｐ１から綴じ位置Ｐｐ２に移動させる動作で、テープ５及び剥離紙４が逆送りされない。
【００８１】
図１１に示すシート束１０が抜き刃４４で穿孔される状態では、ハンドル部１２の把持部位１２ａが把持されて、ハンドル部１２がコイルバネ４５の付勢力に抗して矢印Ｄ方向に押し下げられると、ハンドル部１２の軸１２ｍを支点とした矢印Ｄ方向への回転動作で、駆動部材４１の第１のガイド孔４１ａによってガイドレバー４２の凸部４２ａが押圧され、ガイドレバー４２が矢印Ｄ方向に移動する。
【００８２】
ガイドレバー４２が矢印Ｄ方向に移動すると、ガイドレバー４２で移動部材４８が押圧され、押圧バネ４７を介して押圧レバー４３が押圧されて、押圧レバー４３が矢印Ｄ方向に移動する。これにより、挟持部２０で保持されて綴じ位置Ｐｐ２に移動したシート束１０が、押圧レバー４３の押圧部４３ａで押圧され、予備整形された片２において、押圧レバー４３の押圧部４３ａ及び進入溝２８に挟まれる部位が、シート束１０の表面及び裏面に貼着される。
【００８３】
また、ハンドル部１２が矢印Ｄ方向に押し下げられると、ハンドル部１２の軸１２ｍを支点とした矢印Ｄ方向への回転動作で、駆動部材４１の第２のガイド孔４１ｂによって抜き刃４４を駆動する凸部４９ａが押圧され、抜き刃４４が矢印Ｄ方向に移動する。
【００８４】
そして、ハンドル部１２が下死点に到達するまで押し下げられると、押圧レバー４３でシート束１０を押圧した状態で、図７（ｃ）に示すように、抜き刃４４がシート束１０を貫通する。抜き刃４４がシート束１０を貫通すると、抜き刃４４の挿通孔４４ｂに、片２においてシート束１０に貼着されていない部位であるシート束１０の裏面側の自由端が進入する。
【００８５】
図１２に示す片２をシート束１０に挿通させる状態では、ハンドル部１２の把持部位１２ａを把持する力が弱まる等により、ハンドル部１２を押圧する力が、コイルバネ４５の復元力より弱くなると、復元しようとするコイルバネ４５の力で、ガイドレバー４２の凸部４２ａを介して駆動部材４１の第１のガイド孔４１ａが押圧され、ハンドル部１２が矢印Ｕ方向に押し上げられる。
【００８６】
ハンドル部１２の軸１２ｍを支点とした矢印Ｕ方向への回転動作で、ガイドレバー４２が矢印Ｕ方向に移動すると、押圧バネ４７を介して押圧レバー４３が押し上げられて、押圧レバー４３が矢印Ｕ方向に移動し、シート束１０の押圧が解放される。
【００８７】
また、ハンドル部１２の軸１２ｍを支点とした矢印Ｕ方向への回転動作で、駆動部材４１の第２のガイド孔４１ｂによって抜き刃４４を駆動する凸部４９ａが押し上げられ、抜き刃４４が矢印Ｕ方向に移動する。そして、図７（ｄ）に示すように、抜き刃４４の戻り動作、即ち、シート束１０に貫通した抜き刃４４が引き抜かれる動作で、挿通孔４４ｂに挿通した片２の自由端が抜き刃４４と連なって、シート束１０の表面側に引き抜かれる。
【００８８】
図１３に示す片２を本整形してシート束１０を取り出す状態では、ハンドル部１２が上死点まで押し上げられて待機位置まで戻った後、シート束１０を保持している挟持部２０を矢印Ｆ方向へ移動させる。挟持部２０が綴じ位置Ｐｐ２から挿抜位置Ｐｐ１へ移動する動作で、図７（ｅ）に示すように、シート束１０を挿通した片２が、シート束１０と押圧ローラ５６との間に挟まれる。そして、片２が押圧ローラ５６でシート束１０に押圧されることで、片２は、シート束１０に貼り付けられて本整形される。
【００８９】
挟持部２０が綴じ位置Ｐｐ２から挿抜位置Ｐｐ１まで移動する動作では、保持爪２３ｅが矢印Ｆ方向に移動することで、バネ２３ｇの力で軸２３ｆを支点に矢印Ｇ2方向に回転し、剥離紙４の搬送経路に突出する。これにより、保持爪２３ｅが剥離紙４の係合孔６と係合し、剥離紙４を矢印Ｆ方向に移動させる力が加えられる。剥離紙４を矢印Ｆ方向に移動させる力が加えられると、剥離紙４の係合孔６が係止爪５２ｃから外れ、剥離紙４が退避部５２ｄに入る。
【００９０】
これにより、挟持部２０を綴じ位置Ｐｐ２から挿抜位置Ｐｐ１に移動させる動作で、テープ５及び剥離紙４が、片２の１つ分の長さ引き出される。挟持部２０が停止して、剥離紙４を移動させる力が加わらなくなると、剥離紙４の係合孔６が係止爪５２ｃに係合する。テープ５及び剥離紙４が、片２の１つ分の長さ引き出されると、次の片２が、剥離紙４から半分程度剥離した部分が片待機部２８ａに突出する。
【００９１】
挟持部２０を挿抜位置Ｐｐ１まで移動させた後、押さえ部材２４を回転軸２３ｃを支点に矢印Ｈ2方向に回転させ、押さえ部材２４を開くことで、シート束１０をトレイ２３から取り出すことが可能となる。
【００９２】
綴じ装置１Ａは、ハンドル部１２が軸１２ｍを支点とした回転動作で変位する構成で、カセット収納部６０Ａが、装置本体１１０Ａにおいて、挟持部２０によって載置されるシート束１０を介してハンドル部１２の把持部位１２ａと相対する側の部位、本例では、ハンドル部１２の把持部位１２ａの後方側の部位であって、シート束１０を介して抜き刃４４と相対する側の部位に設けられることで、ハンドル部１２の把持部位１２ａを把持するのに支障をきたすことがない。
【００９３】
また、装置本体１１０Ａの前後方向の寸法の小型化を図ることができ、カセット収納部６０Ａに収納されるカセット８の外形が、本例ではハンドル部１２の後端より後方側に突出しない位置となるように構成されることで、卓上で使用する場合でも、設置面積を少なくできる。
【００９４】
＜第２の実施の形態の綴じ装置の構成例＞
図１４は、第２の実施の形態の綴じ装置の一例を示す構成図である。第２の実施の形態の綴じ装置１Ｂは、カセット８を前方下部に収納する構成である。なお、第１の実施の形態の綴じ装置１Ａと同等の構成については、同じ番号を付して詳細な説明は省略する。
【００９５】
綴じ装置１Ｂは、カセット８が着脱可能に装着されるカセット収納部６０Ｂを、ベース部１１Ｂとハンドル部１２を備えた装置本体１１０Ｂの下部、本例では、ハンドル部１２の回転動作の軸１２ｍと反対側となるベース部１１Ｂの前方下部に備える。ベース部１１Ｂは、主枠体１１ｈと下部枠体１１ｉを備える。ベース部１１Ｂは、主枠体１１ｈの後方上部に軸支持部１１ｍが設けられる。また、ベース部１１Ｂは、主枠体１１ｈの前方に設けた軸１１ｊを支点に、下部枠体１１ｉが回転可能に取り付けられる。ベース部１１Ｂは、下部枠体１１ｉの矢印Ｋ1及び矢印Ｋ2方向への回転動作で、下部枠体１１ｉが前方へ開き、ベース部１１Ｂの下部が開閉可能に構成される。綴じ装置１Ｂでも、ハンドル部１２には、綴じ装置１Ｂを把持して操作するための把持部位１２ａが設けられ、綴じ装置１Ｂを操作する際には、把持部位１２ａを把持することで操作が可能となっている。
【００９６】
送り部５０は、ベース部１１Ｂの主枠体１１ｈに第１のガイド構成部材５０ａが設けられ、第１のローラ５２ａが第１のガイド構成部材５０ａに設けられる。また、送り部５０は、ベース部１１Ｂの下部枠体１１ｉに第２のガイド構成部材５０ｂが設けられ、第２のローラ５２ｂと係止爪５２ｃが、第２のガイド構成部材５０ｂに設けられる。
【００９７】
カセット収納部６０Ｂは収納部の一例で、装置本体１１０Ｂにおいて、抜き刃４４を介してハンドル部１２の回転動作の軸１２ｍと相対する側の部位、本例では、ベース部１１Ｂの前方下部に設けられる。カセット収納部６０Ｂは、下部枠体１１ｉに設けられ、カセット８の引出口８ａから引き出されたテープ５が、送り部５０の下部から搬送路５１に誘導され、かつ、収納されるカセット８の外形が、本例では主枠体１１ｈの前端より前方側に突出しない位置となるように構成される。
【００９８】
カセット収納部６０Ｂも、第１の実施の形態の綴じ装置１Ａと同様に、剥離部５２ｅに至る搬送経路の略直下に引出口８ａが位置するように、本例では、引出口８ａが上側を向く形態でカセット８が収納され、テープ５の引出口８ａから引き出される部位が、搬送路５１の下部に設けられる。
【００９９】
カセット収納部６０Ｂは、装置本体１１０Ｂにおいて、ハンドル部１２の把持部位１２ａの前方側の部位に設けられる。また、カセット収納部６０Ｂは、挟持部２０によって載置されるシート束１０を介して抜き刃４４と相対する側の部位に設けられる。更に、カセット収納部６０Ｂは、カセット８の引出口８ａが、送り部５０を介して抜き刃４４と相対する側の部位に設けられる。また、カセット収納部６０Ｂは、挟持部２０によって載置されるシート束１０を介してハンドル部１２の把持部位１２ａと相対する側の部位に設けられる。
【０１００】
カセット収納部６０Ｂは、下部枠体１１ｉに設けられる構成とすることで、軸１１ｊを支点とした下部枠体１１ｉの回転動作で開閉可能に構成される。
【０１０１】
＜第２の実施の形態の綴じ装置の動作例＞
図１５は、カセット収納部を開閉した状態を示す説明図であり、次に、綴じ装置１Ｂにおいて、カセット８と、テープ５及び剥離紙４を着脱する動作について説明する。
【０１０２】
図１５に示すように、軸１１ｊを支点とした矢印Ｋ1方向への回転動作で下部枠体１１ｉを開くと、カセット収納部６０Ｂが開く。これにより、ベース部１１Ｂの下側から、カセット８の着脱が可能となる。
【０１０３】
また、下部枠体１１ｉを開くと、第１のガイド構成部材５０ａに対して第２のガイド構成部材５０ｂが下方へ開き、第２のローラ５２ｂ及び係止爪５２ｃが搬送経路から退避して搬送路５１が露出する。これにより、カセット収納部６０Ｂに装着したカセット８からテープ５を引き出し、図４で説明した係合孔６が係止爪５２ｃに掛かるようにしてテープ５及び剥離紙４を搬送路５１に装着する作業が容易に行える。
【０１０４】
図１４に示すように、軸１１ｊを支点とした矢印Ｋ2方向への回転動作で下部枠体１１ｉを綴じると、カセット８が所定の位置に装着されると共に、第１のガイド構成部材５０ａと第２のガイド構成部材５０ｂが対向して搬送路５１が形成され、テープ５及び剥離紙４が、所定の搬送経路に装着される。
【０１０５】
このように、ベース部１１Ｂの下部にカセット収納部６０Ｂを備えると共に、下部枠体１１ｉを開閉可能な構成として、カセット収納部６０Ｂ及び搬送路５１が開閉される構成とすることで、下部枠体１１ｉを開いた状態では、図１５に示すように、カセット収納部６０Ｂから引き出される部位も含めて、テープ５及び剥離紙４の搬送経路の全体が露出する。これにより、テープ５及び剥離紙４の着脱が容易に行える。
【０１０６】
なお、本例でも、ロール体７がカセット８に収納される形態で説明したが、カセット収納部６０Ｂをロール体７に合わせた形状として、ロール体７を直接カセット収納部６０Ｂに収納できるような構成としても良い。
【０１０７】
綴じ装置１Ｂでも、ハンドル部１２が軸１２ｍを支点とした回転動作で変位する構成で、カセット収納部６０Ｂが、装置本体１１０Ｂにおいて、挟持部２０によって載置されるシート束１０を介してハンドル部１２の把持部位１２ａと相対する側の部位、本例では、ハンドル部１２の把持部位１２ａの前方側の部位であって、シート束１０を介して抜き刃４４と相対する側の部位に設けられることで、ハンドル部１２の把持部位１２ａを把持するのに支障をきたすことがない。
【０１０８】
また、装置本体１１０Ｂの前後方向の寸法の小型化を図ることができ、カセット収納部６０Ｂに収納されるカセット８の外形が、本例ではハンドル部１２の後端より後方側に突出しない位置となるように構成されることで、卓上で使用する場合でも、設置面積を少なくできる。
【０１０９】
図１６は、第２の実施の形態の綴じ装置の変形例を示す構成図である。なお、第２の実施の形態の綴じ装置１Ｂと同等の構成については、同じ番号を付して詳細な説明は省略する。
【０１１０】
変形例の綴じ装置１Ｂ1は、ハンドル部１２には、綴じ装置１Ｂ1を把持して操作するための第１の把持部位１２ａ1が設けられる。また、カセット収納部６０Ｂの非形成位置である主枠体１１ｈの後方下部を切欠いて、綴じ装置１Ｂ1を把持して操作するための第２の把持部位１１ｄ1が設けられ、綴じ装置１Ｂ1を操作する際には、第１の把持部位１２ａ1と第２の把持部位１１ｄ1を把持することで操作が可能となっている。
【０１１１】
図１７は、第２の実施の形態の綴じ装置の他の変形例を示す構成図である。なお、第２の実施の形態の綴じ装置１Ｂと同等の構成については、同じ番号を付して詳細な説明は省略する。
【０１１２】
他の変形例の綴じ装置１Ｂ2は、ハンドル部１２には、綴じ装置１Ｂ2を把持して操作するための第１の把持部位１２ａ1が設けられる。また、カセット収納部６０Ｂの非形成位置である主枠体１１ｈの後方下部に、指が入るような例えば長孔形状の開口を設けて、綴じ装置１Ｂ2を把持して操作するための第２の把持部位１１ｄ2が設けられ、綴じ装置１Ｂ2を操作する際には、第１の把持部位１２ａ1と第２の把持部位１１ｄ2を把持することで操作が可能となっている。
【０１１３】
何れの変形例でも、カセット収納部６０Ｂが、装置本体１１０Ｂにおいてハンドル部１２の第１の把持部位１２ａ1の前方側の部位に設けられることで、ベース部１１Ｂの形状の自由度が増し、より把持に適した形状とすることができる。
【０１１４】
＜第３の実施の形態の綴じ装置の構成例＞
図１８及び図１９は、第３の実施の形態の綴じ装置の一例を示す構成図である。ここで、図１８は、綴じ装置１Ｃの内部構成を示す側面図、図１９は、綴じ装置１Ｃの上面図である。第３の実施の形態の綴じ装置１Ｃは、カセット８を横向きとして前方下部に収納する構成である。なお、第１の実施の形態の綴じ装置１Ａと同等の構成については、同じ番号を付して詳細な説明は省略する。
【０１１５】
綴じ装置１Ｃは、カセット８が着脱可能に装着されるカセット収納部６０Ｃを、ベース部１１Ｃとハンドル部１２を備えた装置本体１１０Ｃの下部、本例では、ハンドル部１２の回転動作の軸１２ｍと反対側となるベース部１１Ｃの前方下部に備える。ベース部１１Ｃは、主枠体１１ｐと下部枠体１１ｑを備える。ベース部１１Ｃは、主枠体１１ｐの後方上部に軸支持部１１ｍが設けられる。また、ベース部１１Ｃは、主枠体１１ｐの前方に設けた軸１１ｒを支点に、下部枠体１１ｑが回転可能に取り付けられる。ベース部１１Ｃは、下部枠体１１ｑの矢印Ｋ1及び矢印Ｋ2方向への回転動作で、下部枠体１１ｑが前方へ開き、ベース部１１Ｃの下部が開閉可能に構成される。綴じ装置１Ｃは、ハンドル部１２には、綴じ装置１Ｃを把持して操作するための第１の把持部位１２ａ1が設けられる。また、ベース部１１Ｃには、綴じ装置１Ｃを把持して操作するための第２の把持部位１１ｄ3が設けられ、綴じ装置１Ｃを操作する際には、第１の把持部位１２ａ1と第２の把持部位１１ｄ3を把持することで操作が可能となっている。
【０１１６】
送り部５０は、ベース部１１Ｃの主枠体１１ｐに第１のガイド構成部材５０ａが設けられ、第１のローラ５２ａが第１のガイド構成部材５０ａに設けられる。また、送り部５０は、ベース部１１Ｃの下部枠体１１ｑに第２のガイド構成部材５０ｂが設けられ、第２のローラ５２ｂと係止爪５２ｃが、第２のガイド構成部材５０ｂに設けられる。
【０１１７】
これにより、軸１１ｒを支点とした矢印Ｋ1方向への回転動作で下部枠体１１ｑを開くと、カセット収納部６０Ｂが開き、カセット８の着脱が可能となると共に、第１のガイド構成部材５０ａに対して第２のガイド構成部材５０ｂが下方へ開き、搬送路５１が露出して、テープ５及び剥離紙４の着脱が可能になる。
【０１１８】
また、軸１１ｒを支点とした矢印Ｋ2方向への回転動作で下部枠体１１ｑを綴じると、カセット８が所定の位置に装着されると共に、第１のガイド構成部材５０ａと第２のガイド構成部材５０ｂが対向して搬送路５１が形成され、テープ５及び剥離紙４が、所定の搬送経路に装着される。
【０１１９】
カセット収納部６０Ｃは、ロール体７の円周方向が横向きとなるように、カセット８が横向きで収納され、カセット８の引出口８ａから引き出されたテープ５が、送り部５０の下部から搬送路５１に誘導され、かつ、収納されるカセット８の外形が、本例では主枠体１１ｈの前端より前方側に突出しない位置となるように構成される。すなわち、カセット収納部６０Ｃは、装置本体１１０Ｂにおいて、抜き刃４４を介してハンドル部１２の回転動作の軸１２ｍと相対する側の部位に設けられる。
【０１２０】
カセット収納部６０Ｃにおいて、テープ５の引出口８ａから引き出される部位が、搬送路５１の下部に設けられ、カセット８の引出口８ａから横向きに引き出されるテープ５は、図１９に示すように、剥離部５２ｅにおいて縦方向に搬送されるように搬送経路が曲げられる。
【０１２１】
カセット収納部６０Ｃは、装置本体１１０Ｃにおいて、ハンドル部１２の第１の把持部位１２ａ1、もしくは、ベース部１１Ｃの第２の把持部位１１ｄ3の前方側の部位に設けられる。また、カセット収納部６０Ｃは、挟持部２０によって載置されるシート束１０を介して抜き刃４４と相対する側の部位に設けられる。更に、カセット収納部６０Ｃは、カセット８の引出口８ａが、送り部５０を介して抜き刃４４と相対する側の部位に設けられる。また、カセット収納部６０Ｃは、挟持部２０によって載置されるシート束１０を介してハンドル部１２の第１の把持部位１２ａ1と相対する側の部位に設けられる。
【０１２２】
綴じ装置１Ｃでは、カセット８が横向きで取り付けられることで、高さ方向の寸法も低く抑えることができる。これにより、ベース部１１Ｃの形状の自由度が増し、より把持に適した形状とすることができる。また、装置本体１１０Ｃの前後方向の寸法の小型化を図ることができ、卓上で使用する場合でも、設置面積を少なくできる。
【０１２３】
なお、綴じ装置１Ａ、綴じ装置１Ｂ及び綴じ装置１Ｃでは、シート束１０を移動させることによるシート束１０と片２との相対移動で、片２を予備整形する構成で、シート束１０を移動させる挟持部２０の動作を、ハンドル部１２の操作と連動させる構成としても良い。また、シート束１０を移動させず、片２側を移動させることによるシート束１０と片２との相対移動で、片２を予備整形する構成としても良い。
【０１２４】
また、綴じ装置１Ａ、綴じ装置１Ｂ及び綴じ装置１Ｃでは、直線移動で抜き刃４４及び押圧レバー４３を移動させる操作部材を、抜き刃４４及び押圧レバー４３の直上に備える構成としても良い。
【０１２５】
＜第４の実施の形態の綴じ装置の構成例＞
図２０及び図２１は、第４の実施の形態の綴じ装置の一例を示す構成図である。綴じ装置１Ｄは、ベース部１１１と、ベース部１１１に対して回転可能に設けられるハンドル部１２２を備える。
【０１２６】
ベース部１１１は、テープ５のロール体７が収納されたカセット８が着脱可能に装着されるカセット収納部１１１ａを前方下部に備える。また、ベース部１１１は、シート束１０が挿入される進入溝１１１ｂを備える。更に、ベース部１１１は、図示しないが、カセット８から引き出されたテープ５及び剥離紙４を搬送する送り部、片を予備整形する構成等、上述した各実施の形態で説明した構成を備える。
【０１２７】
ハンドル部１２２は操作部材の一例で、軸１２２ａを支点として回転可能にベース部１１１に取り付けられる。ハンドル部１２２は、一方の端部側に抜き刃１４０が連結される連結部１２２ｂを備え、他方の端部側が自由端となる。綴じ装置１Ｄは、ハンドル部１２２には、綴じ装置１Ｄを把持して操作するための第１の把持部位１２２ｄが設けられる。また、ベース部１１１には、綴じ装置１Ｄを把持して操作するための第２の把持部位１１１ｄが設けられ、綴じ装置１Ｄを操作する際には、第１の把持部位１２２ｄと第２の把持部位１１１ｄを把持することで操作が可能となっている。
【０１２８】
カセット収納部１１１ａは、ハンドル部１２２の第１の把持部位１２２ｄ、もしくは、ベース部１１１の第２の把持部位１１１ｄの前方側の部位に設けられる。また、カセット収納部１１１ａは、進入溝１１１ｂに載置されるシート束１０を介して抜き刃４４と相対する側の部位に設けられる。更に、カセット収納部１１１ａは、進入溝１１１ｂに載置されるシート束１０を介してハンドル部１２２の第１の把持部位１２２ｄと相対する側の部位に設けられる。
【０１２９】
綴じ装置１Ｄは、第１の把持部位１２２ｄと第２の把持部位１１１ｄが把持されることで、ハンドル部１２２が軸１２２ａを支点に回転し、このハンドル部１２２が回転する動作が抜き刃１４０に伝達される。
【０１３０】
ハンドル部１２２が矢印Ｌ1方向に操作されると、軸１２２ａを支点に回転することで、抜き刃１４０が矢印Ｌ11方向に移動し、進入溝１１１ｂに挿入されたシート束１０を貫通する。また、図示しないが、予備整形された片を抜き刃１４０で保持する。
【０１３１】
ハンドル部１２２が矢印Ｌ2方向に操作されると、軸１２２ａを支点に回転することで、抜き刃１４０が矢印Ｌ21方向に移動し、シート束１０に貫通した抜き刃１４０が引き抜かれる動作で、片が抜き刃１４０と連なって、シート束１０の表面側に引き抜かれる。
【０１３２】
図２２及び図２３は、第４の実施の形態の綴じ装置の変形例を示す構成図である。変形例の綴じ装置１Ｄ1は、カセット収納部１１１ａ1が、ハンドル部１２２の第１の把持部位１２２ｄ、もしくは、ベース部１１１の第２の把持部位１１１ｄの前方側の部位に設けられる。また、カセット収納部１１１ａ1が、抜き刃４４と相対する側の部位に設けられる。更に、カセット収納部１１１ａ1が、進入溝１１１ｂに載置されるシート束１０を介してハンドル部１２２の第１の把持部位１２２ｄと相対する側の部位に設けられる。
【０１３３】
綴じ装置１Ｄでは、カセット８が装置の前方下部に取り付けられ、綴じ装置１Ｄ1では、カセット８が装置の前方上部に取り付けられることで、ハンドル部１２２側の後方に突出する形状が無い。これにより、ハンドル部１２２及びベース部１１１の形状の自由度が増え、例えば、片手で把持できるような形状とすることができる。
【０１３４】
＜第５の実施の形態の綴じ装置の構成例＞
図２４及び図２５は、第５の実施の形態の綴じ装置の一例を示す構成図である。綴じ装置１Ｅは、ベース部１１２と、ベース部１１２に対して回転可能に設けられるハンドル部１２３と、ハンドル部１２３の動作を抜き刃１４０に伝達するリンク１２４を備える。
【０１３５】
ベース部１１２は、テープ５のロール体７が収納されたカセット８が着脱可能に装着されるカセット収納部１１２ａを前方下部に備える。また、ベース部１１２は、シート束１０が挿入される進入溝１１２ｂを備える。更に、ベース部１１２は、図示しないが、カセット８から引き出されたテープ５及び剥離紙４を搬送する送り部、片を予備整形する構成等、上述した各実施の形態で説明した構成を備える。
【０１３６】
ハンドル部１２３は操作部材の一例で、軸１２３ａを支点として回転可能にベース部１１２に取り付けられる。ハンドル部１２３は、一方の端部側にリンク１２４が連結される連結部１２３ｂを備え、他方の端部側が自由端となる。綴じ装置１Ｅは、ハンドル部１２３には、綴じ装置１Ｅを把持して操作するための第１の把持部位１２３ｅが設けられる。また、ベース部１１２には、綴じ装置１Ｅを把持して操作するための第２の把持部位１１２ｅが設けられ、綴じ装置１Ｅを操作する際には、第１の把持部位１２３ｅと第２の把持部位１１２ｅを把持することで操作が可能となっている。
【０１３７】
カセット収納部１１２ａは、ハンドル部１２３の第１の把持部位１２３ｅ、もしくは、ベース部１１２の第２の把持部位１１２ｅの前方側の部位に設けられる。また、カセット収納部１１２ａは、進入溝１１２ｂに載置されるシート束１０を介して抜き刃４４と相対する側の部位に設けられる。更に、カセット収納部１１２ａは、進入溝１１２ｂに載置されるシート束１０を介してハンドル部１２３の第１の把持部位１２３ｅと相対する側の部位に設けられる。
【０１３８】
リンク１２４は、軸１２４ａを支点として回転可能にベース部１１２に取り付けられる。リンク１２４は、一方の端部にハンドル部１２３の連結部１２３ｂと連結される連結軸１２４ｂを備え、他方の端部に抜き刃１４０が連結される連結部１２４ｃを備える。
【０１３９】
綴じ装置１Ｅは、第１の把持部位１２３ｅと第２の把持部位１１２ｅが把持されることで、ハンドル部１２３が軸１２３ａを支点に回転すると共に、リンク１２４が軸１２４ａを支点に回転し、このハンドル部１２３及びリンク１２４が回転する動作が抜き刃１４０に伝達される。
【０１４０】
ハンドル部１２３が矢印Ｍ1方向に操作されると、ハンドル部１２３が軸１２３ａを支点に回転すると共に、リンク１２４が軸１２４ａを支点に回転することで、抜き刃１４０が矢印Ｍ11方向に移動し、進入溝１１２ｂに挿入されたシート束１０を貫通する。また、図示しないが、予備整形された片を抜き刃１４０で保持する。
【０１４１】
ハンドル部１２３が矢印Ｍ2方向に操作されると、ハンドル部１２３が軸１２３ａを支点に回転すると共に、リンク１２４が軸１２４ａを支点に回転することで、抜き刃１４０が矢印Ｍ21方向に移動し、シート束１０に貫通した抜き刃１４０が引き抜かれる動作で、片が抜き刃１４０と連なって、シート束１０の表面側に引き抜かれる。
【０１４２】
図２６及び図２７は、第５の実施の形態の綴じ装置の変形例を示す構成図である。変形例の綴じ装置１Ｅ1は、カセット収納部１１１ａ1が、ハンドル部１２３の第１の把持部位１２３ｅ、もしくは、ベース部１１２の第２の把持部位１１２ｅの前方側の部位に設けられる。また、カセット収納部１１１ａ1が、抜き刃４４と相対する側の部位に設けられる。更に、カセット収納部１１１ａ1が、進入溝１１１ｂに載置されるシート束１０を介してハンドル部１２３の第１の把持部位１２３ｅと相対する側の部位に設けられる。
【０１４３】
綴じ装置１Ｅでは、カセット８が装置の前方下部に取り付けられ、綴じ装置１Ｅ1では、カセット８が装置の前方上部に取り付けられることで、ハンドル部１２３側の後方に突出する形状が無い。これにより、ハンドル部１２３及びベース部１１２の形状の自由度が増え、例えば、片手で把持できるような形状とすることができる。また、リンク１２４を用いてハンドル部１２３の動作を抜き刃１４０に伝達することで、ハンドル部１２３の動作に対する抜き刃１４０の作動比の設定の自由度が向上し、ハンドル部１２３の形状の自由度がより向上する。
【０１４４】
＜第６の実施の形態の綴じ装置の構成例＞
図２８は、第６の実施の形態の綴じ装置の一例を示す構成図である。第６の実施の形態の綴じ装置１Ｆは、カセット８を後方に収納する構成である。なお、第１の実施の形態の綴じ装置１Ａと同等の構成については、同じ番号を付して詳細な説明は省略する。
【０１４５】
綴じ装置１Ｆは、ハンドル部１２には、綴じ装置１Ｆを把持して操作するための第１の把持部位１２ａ1が設けられる。また、ベース部１１Ｋには、綴じ装置１Ｆを把持して操作するための第２の把持部位１１Ｋ1が設けられ、綴じ装置１Ｆを操作する際には、第１の把持部位１２ａ1と第２の把持部位１１Ｋ1を把持することで操作が可能となっている。
【０１４６】
綴じ装置１Ｆは、カセット８が着脱可能に装着されるカセット収納部６０Ｆを、ベース部１１Ｋとハンドル部１２を備えた装置本体１１０Ｆの後方に備える。
【０１４７】
カセット収納部６０Ｆは収納部の一例で、装置本体１１０Ｆにおいて、ハンドル部１２の第１の把持部位１２ａ1、もしくは、ベース部１１Ｋの第２の把持部位１１ｋ1の後方側の部位、本例では、ベース部１１Ｋの後方に設けられる。
【０１４８】
綴じ装置１Ｆでは、カセット８が装置本体１１０Ｆの後方に取り付けられることで、高さ方向の寸法を低く抑えることができる。これにより、ベース部１１Ｋの形状の自由度が増し、把持に適した形状とすることができる。
【０１４９】
＜第７の実施の形態の綴じ装置の構成例＞
図２９及び図３０は、第７の実施の形態の綴じ装置の一例を示す構成図である。なお、第４の実施の形態の綴じ装置１Ｄと同等の構成については、同じ番号を付して詳細な説明は省略する。
【０１５０】
綴じ装置１Ｇは、ハンドル部１２２には、綴じ装置１Ｇを把持して操作するための第１の把持部位１２２ｄが設けられる。また、ベース部１１１には、綴じ装置１Ｇを把持して操作するための第２の把持部位１１１ｄが設けられ、綴じ装置１Ｇを操作する際には、第１の把持部位１２２ｄと第２の把持部位１１１ｄを把持することで操作が可能となっている。
【０１５１】
カセット収納部１１１ｇは、ベース部１１１の第２の把持部位１１１ｄの後方側の部位に設けられる。
【０１５２】
綴じ装置１Ｇでは、カセット８が装置の後方で把持の妨げにならない位置に取り付けられることで、ハンドル部１２２及びベース部１１１の形状の自由度が増え、例えば、片手で把持できるような形状とすることができる。
【０１５３】
＜第８の実施の形態の綴じ装置の構成例＞
図３１及び図３２は、第８の実施の形態の綴じ装置の一例を示す構成図である。なお、第５の実施の形態の綴じ装置１Ｅと同等の構成については、同じ番号を付して詳細な説明は省略する。
【０１５４】
綴じ装置１Ｈは、ハンドル部１２３には、綴じ装置１Ｈを把持して操作するための第１の把持部位１２３ｅが設けられる。また、ベース部１１２には、綴じ装置１Ｈを把持して操作するための第２の把持部位１１２ｅが設けられ、綴じ装置１Ｈを操作する際には、第１の把持部位１２３ｅと第２の把持部位１１２ｅを把持することで操作が可能となっている。
【０１５５】
カセット収納部１１２ｈは、ベース部１１２の第２の把持部位１１２ｅの後方側の部位に設けられる。
【０１５６】
綴じ装置１Ｈでは、カセット８が装置の後方で把持の妨げにならない位置に取り付けられることで、ハンドル部１２３及びベース部１１２の形状の自由度が増え、例えば、片手で把持できるような形状とすることができる。
【０１５７】
＜テープの収納形態の変形例＞
図３３は、カセットの変形例を示す説明図で、消耗品であるテープ５の収納形態の変形例について説明する。カセット８０は、長尺状のテープ５が蛇腹状に折り畳まれて収納され、引出口８０ａから引き出される構成である。このように、テープ５は、ロール状に巻かれる形態、蛇腹状に折り畳まれる形態、その他、所定の大きさに収まるように折り畳まれる形態であれば、収納形態は問わない。
【産業上の利用可能性】
【０１５８】
本発明は、紙等で構成された片でシート束を綴じる装置に適用される。
【符号の説明】
【０１５９】
１Ａ〜１Ｈ・・・綴じ装置、２・・・片、３・・・粘着層、４・・・剥離紙、５・・・テープ、６・・・係合孔、７・・・ロール体、８・・・カセット、１０・・・シート束、１１Ａ〜１１Ｃ・・・ベース部、１２・・・ハンドル部、２０・・・挟持部、４０・・・綴じ部、４４・・・抜き刃、５０・・・送り部、６０Ａ〜６０Ｃ・・・カセット収納部
【図１】
2015003526.tif 000003
【図２】
2015003526.tif 000004
【図３】
2015003526.tif 000005
【図４】
2015003526.tif 000006
【図５】
2015003526.tif 000007
【図６】
2015003526.tif 000008
【図７】
2015003526.tif 000009
【図８】
2015003526.tif 000010
【図９】
2015003526.tif 000011
【図１０】
2015003526.tif 000012
【図１１】
2015003526.tif 000013
【図１２】
2015003526.tif 000014
【図１３】
2015003526.tif 000015
【図１４】
2015003526.tif 000016
【図１５】
2015003526.tif 000017
【図１６】
2015003526.tif 000018
【図１７】
2015003526.tif 000019
【図１８】
2015003526.tif 000020
【図１９】
2015003526.tif 000021
【図２０】
2015003526.tif 000022
【図２１】
2015003526.tif 000023
【図２２】
2015003526.tif 000024
【図２３】
2015003526.tif 000025
【図２４】
2015003526.tif 000026
【図２５】
2015003526.tif 000027
【図２６】
2015003526.tif 000028
【図２７】
2015003526.tif 000029
【図２８】
2015003526.tif 000030
【図２９】
2015003526.tif 000031
【図３０】
2015003526.tif 000032
【図３１】
2015003526.tif 000033
【図３２】
2015003526.tif 000034
【図３３】
2015003526.tif 000035